(57)【要約】【課題】  作業者一人でも簡単に施工することができると共に、伸縮に対応するフェンス用板状部材の取付具を提供することにある。【解決手段】  取付具２は、板状部材１０を抱持する本体部４と、その上下端部からそれぞれ突出する取付部６，８とからなる。この取付部６の取付面６ａは斜面となっている。この取付部６を支持部材１２に固定すると、斜面からなる取付面６ａにより取付部８が支持部材１２から離れて浮いた仮止め状態となる。仮止め状態にある取付具２には、板状部材１０を掛け止めして作業することができる。また、取付部８に設けられた段部８ａには、隣接する他の取付具２Ａの取付部６Ａが差し込まれて固定される。【選択図】  図１
2008280724.tif 000002
【特許請求の範囲】
【請求項１】
フェンス用板状部材を支持部材に取り付ける取付具であって、
前記板状部材をその長手方向に摺動可能な状態で抱持する本体部と、
該本体部の相反する端部からそれぞれ突出し、前記支持部材に固定される一対の取付部と、を備え、
少なくとも一方の前記取付部の前記支持部材に当接する取付面を、先端に向かって前記支持部材から離れるように傾斜する斜面で形成し、該取付面を前記支持部材に当接させて前記一方の取付部を固定することにより、他方の取付部が前記支持部材から離れた状態で仮止め可能となることを特徴とするフェンス用板状部材の取付具。
【請求項２】
他方の前記取付部には、隣接する他の取付具における前記一方の取付部が入る段部が設けられ、該段部内に前記一方の取付部を入れて前記他方の取付部に重ね合わせて前記支持部材に固定することを特徴とする請求項１記載のフェンス用板状部材の取付具。
【請求項３】
前記板状部材の前面に面する前記本体部の内面には、前記板状部材の前面に、その長手方向に沿って当接するリブが設けられていることを特徴とする請求項１又は２記載のフェンス用板状部材の取付具。
【請求項４】
前記本体部は、前記板状部材の前面と上下端面を囲い、前記一方の取付部を前記支持部材に固定すると前記板状部材が掛止可能となることを特徴とする請求項１記載のフェンス用板状部材の取付具。
【発明の詳細な説明】
【技術分野】
【０００１】
本発明は、主に屋外に設置されるフェンスに用いられる板材、特にプラスチック製の板状部材を、支柱等に固定する取付具に関するものである。
【背景技術】
【０００２】
従来から家屋の周囲等に設けられるフェンスは、木材からなる板を１枚１枚支柱に釘やネジで固定することにより構築されるものがあった。しかしながら、近年では、木材よりも長期使用に耐える金属やプラスチックからなるフェンスが主流となっており、更に、より簡単な工事で施工することができるように構成することが求められていた。
【０００３】
そこで、フェンスの一部をユニット化して支柱にボルトで固定する取付構造が多く用いられている（例えば、特許文献１参照）。しかし、フェンスの一部をユニット化すると各部品の重量や大きさが増すため、工数が減っても取り扱いが難しくなり、かえって作業者が一人で施工することが困難になる場合があった。また、ユニット化すると、板材を１枚１枚固定した古くからあるフェンスの風情を出すことは難しく、板材を１枚１枚固定したフェンスを望むユーザが非常に多いという問題もあった。
【０００４】
また、金属やプラスチックからなる板材（特にプラスチック製の板材）を用いると、気温により大きく伸縮するため、ボルトで支柱に固定すると歪みや板間に隙間が生じることがあった。そこで、支柱に連結する部分に、円弧状に揺動する部材を設け、この揺動部材にプラスチック製の部材を取り付けることで、熱伸縮を吸収することが提案されていた（例えば、特許文献２参照）。しかしながら、この構造は機構が複雑で大きいため、支柱に取り付ける１本１本を同様の構造で取り付けることは困難であった。
【特許文献１】特開２０００−２０４７９７号公報
【特許文献２】特開２００４−２３２２７９号公報
【発明の開示】
【発明が解決しようとする課題】
【０００５】
そこで、本発明が解決しようとする課題は、上記従来技術の問題点を解決し、作業者一人でも簡単に施工することができると共に、伸縮に対応しながら外観を整えて風情のあるフェンスに仕上げることができるフェンス用板状部材の取付具を提供することにある。
【課題を解決するための手段】
【０００６】
本発明のフェンス用板状部材の取付具は、フェンス用板状部材を支持部材に取り付ける取付具であって、前記板状部材をその長手方向に摺動可能な状態で抱持する本体部と、該本体部の相反する端部からそれぞれ突出し、前記支持部材に固定される一対の取付部と、を備え、少なくとも一方の前記取付部の前記支持部材に当接する取付面を、先端に向かって前記支持部材から離れるように傾斜する斜面で形成し、該取付面を前記支持部材に当接させて前記一方の取付部を固定することにより、他方の取付部が前記支持部材から離れた状態で仮止め可能となるものである。
【０００７】
また、フェンス用板状部材の取付具における他方の前記取付部には、隣接する他の取付具における前記一方の取付部が入る段部が設けられ、該段部内に前記一方の取付部を入れて前記他方の取付部に重ね合わせて前記支持部材に固定するものとなっている。
【０００８】
また、前記フェンス用板状部材の前面に面する前記本体部の内面には、前記板状部材の前面に、その長手方向に沿って当接するリブが設けられている。
【０００９】
更に、前記本体部は、前記板状部材の前面と上下端面を囲い、前記一方の取付部を前記支持部材に固定すると前記板状部材が掛止可能となるものである。
【発明の効果】
【００１０】
本発明のフェンス用板状部材の取付具は、板状部材の前面と上下端面を囲うように抱持する本体部と、その上下端部からそれぞれ突出する取付部とからなり、少なくとも一方の取付部の取付面を斜面としたものである。これにより、一方の取付部を支持部材に固定すると、斜面からなる取付面により他方の取付部が支持部材から離れて浮いた仮止め状態となる。この仮止め状態のときに板状部材を掛け止めすることができ、板状部材を１枚１枚固定するフェンスであっても、作業者が一人で簡単に板状部材を支持部材に取り付けて行くことができる。
【００１１】
また、本発明の取付具は、板状部材の前面と上下端面を囲うように抱持するものであるため、板状部材をその長手方向に摺動可能な状態で支持している。このため、板状部材が長手方向に伸縮しても板状部材や取付具に無理な力がかかることがない。この結果、板状部材に歪みや異常な隙間が生じることを防ぐことができる。更に、板状部材の前面に対面する本体部の内面にリブを設けているので、このリブが板状部材に当接し、板状部材の摺動をより容易にすることができる。
【００１２】
また、本発明の取付具によって長手方向に隣接する２枚の板状部材をそれぞれ支持することで、その板状部材の継ぎ目を隠しながら連結することができる。これにより、板状部材が伸縮して長手方向に隣接する板状部材間の隙間が様々に変化しても、取付具によって隙間を隠すことで、見栄えのよい外観が得られる。
【００１３】
また、本発明の取付具の他方の取付部には、隣接する他の取付具における一方の取付部が入る段部が設けられており、この段部内に隣接する取付具の一方の取付部を入れて重ね合わせて支持部材に固定することができる。これにより、隣接する取付具間の間隔を簡単かつ正確に設定して取付具を次々と固定して行くことができる。
【００１４】
また、上記のように、本発明によれば、作業者が簡単に施工することができると共にプラスチック製の板状部材を伸縮可能な状態で支持することができるので、簡単な作業で板状部材を１枚１枚取り付けて、耐久性に優れた風情のあるフェンスを構築することができる。
【発明を実施するための最良の形態】
【００１５】
本発明のフェンス用板状部材の取付具は、板状部材の前面と上下端面を囲うように抱持する本体部と、その上下端部からそれぞれ突出する取付部とからなり、少なくとも一方の取付部の取付面を斜面としたものである。これにより、一方の取付部を支持部材に固定すると、斜面からなる取付面により他方の取付部が支持部材から離れて浮いた仮止め状態となり、板状部材を掛け止めして作業することができるようになる。また、本体部の他方の取付部には段部が設けられており、この段部に隣接する他の取付具の一方の取付部を入れて共に支持部材に固定するものとなっている。これにより、取付具を一定の間隔で且つ順次仮止め可能な状態にしながら支持部材に固定することができ、作業性を大きく向上するものとなっている。
【実施例】
【００１６】
図１乃至図６は本発明の一実施例に係るフェンス用板状部材の取付具を示す斜視図、右側面図、正面図、背面図、平面図及び底面図である。
【００１７】
図１乃至図６において、符号２は板状部材１０を支持部材１２に固定するための取付具である。この取付具２は、発泡ポリエチレン等のプラスチックからなり、板状部材１０に適合する本体部４と、その上下端部からそれぞれ突出する取付部６，８とを備えている。
【００１８】
この本体部４は、側面が略コの字形をなすものであり、板状部材１０の前面１０ａを押える押え部４ａと、その上下端から取付方向（図１における右方）に屈曲して板状部材１０の上下端面１０ｂ、１０ｃに係合する係合部４ｂ、４ｃと、から構成されている。
【００１９】
一方の取付部６は、前記本体部４の係合部４ｂの端部外面から図１中上方に突出している。この取付部６の支持部材１２に対面する取付面６ａは、前記係合部４ｂと一体となる根元から先端に向かって支持部材１２から徐々に離れるように傾斜する斜面で構成されている。また、他方の取付部８は、本体部４の係合部４ｃの端部外面から図１中下方に突出している。この取付部８は、支持部材１２に当接する本体部４の係合部４ｃの先端より支持部材１２から離れる方向（図１中左方）に段差を形成する段部８ａを有している。これら取付部６，８には、ネジ等の止め具を挿通させる貫通孔６ｂ、８ｂがそれぞれ設けられている。
【００２０】
また、板状部材１０に対面する本体部４における押え部４ａの内面には、板状部材１０の長手方向（図２中左右方向）に沿って形成されたリブ１４，１６がそれぞれ取付部６，８の近傍に設けられている。このリブ１４，１６は、断面が略半円形をなす線状の突起からなる。
【００２１】
次に、上記構成からなる取付具２によって支持部材１２に板状部材１０を固定してフェンスを施工する場合について、図７乃至図１１に基づいて説明する。ここで、図７は取付具２を用いたフェンスの施工例を示す正面図、図８はその縦断面図、図９及び図１０は取付具２により板状部材１０を固定する時の状態を示す縦断面図、図１１は施工が完了したフェンスの縦断面図である。
【００２２】
本実施例における支持部材１２は金属製の支柱や外壁等からなるものであり、取付具２を強固にネジ止めできるものであればどのような材質のものであっても良い。また、この支持部材１２に固定する板状部材１０は、発泡ポリエチレン等のプラスチックからなるものであり、本実施例においては、発泡ポリエチレンのリサイクル材により木材を模した外観に形成されている。
【００２３】
図７に示すように、板状部材１０を上下３段に配置したフェンスを上部の板状部材１０から施工する場合について説明する。先ず、図８に示すように、支持部材１２の上部に取付具２をあてがい、取付部６の貫通孔６ｂにネジ１７を通し、支持部材１２に締め付けることによって取付具２の取付部６側を固定する。このときに、取付部６の斜面からなる取付面６ａが支持部材１２に密着し、取付面６ａの傾斜に基づいて取付具２はその取付部８が支持部材１２から離れて浮き上がるように傾斜した状態になる。取付具２がこの傾斜状態になると、本体部４は支持部材１２の表面から前方に浮き上がって板状部材１０の厚み以上に開くため、左右側方から簡単に板状部材１０を取付具２と支持部材１２との間に差し込むことができる。また、この傾斜状態のときに取付部８及び本体部４の係合部４ｃが支持部材１２から離れる距離は、取付面６ａの傾斜の設定によって板状部材１０の厚み以内に抑えられているため、取付具２と支持部材１２との間に差し込まれた板状部材１０は、取付部８と支持部材１２の間から落ちることがなく、本体部４の係合部４ｃに引っ掛かって仮止め状態になる。
【００２４】
次に、取付具２の弾性を利用して浮き上がっている下側の取付部８を、支持部材１２の方向に押し付けて支持部材１２に固定する。このときに、図９に示すように、取付部８の段部８ａ内に隣接する取付具２Ａの取付部６Ａを挿入して重ね合わせ、取付部８の貫通孔８ｂと取付部６Ａの貫通孔６Bとを位置合わせしてネジ１８を挿通し支持部材１２にネジ止めする。これにより、上段の板状部材１０は取付具２の押え部４ａと支持部材１２との間に挟まれて固定される。このときに板状部材１０の前面１０ａにはリブ１４，１６の先端が線状に当接しており、接触面積が極めて小さいため、板状部材１０は伸縮してもその長手方向に摺動可能な状態となっている。
【００２５】
また、隣接する下方側の取付具２Ａは、その取付部６Ａが取付具２の取付部８と共にネジ止めされることによって、前述した取付具２と同様に傾斜状態となり、図１０に示すように、中段の板状部材１０を引っ掛けて仮止めすることができる状態になる。このように、取付部８と隣接する下方側の取付具２Ａの取付部６Ａとを重ねて固定することにより、順次、取付具２を傾斜状態にして作業を進めることができる。そして、図１１に示すように、上下３段の板状部材１０を３個の取付具２によって固定することができる。
【００２６】
上記のように取付具２によって板状部材１０を支持部材１２に固定すると、板状部材１０は取付具２の弾性でリブ１４，１６によって支持部材１２の方向に押さえ付けられ且つ伸縮する長手方向に摺動可能に支持される。本実施例における板状部材１０は、１ｍ当たり１．５〜１．２ｍｍ程度伸縮することがある。このため、図１に示すように、取付具２の左右からそれぞれ板状部材１０を差し込んで連結固定する場合に、隣接する板状部材１０同士の隙間幅Lを約５ｍｍ程度あけて固定することが好ましい。このように、連結する板状部材１０の間に所定の隙間をあけても、それを取付具２が覆い隠しているので、外観は整った状態となる。特に、各板状部材１０の伸縮がまちまちで、板状部材１０間の間隔がバラバラであっても、取付具２によって覆われているので、外観には全く影響がない。
【００２７】
尚、本実施例においては取付部６を上に向けて上方から板状部材１０を横向きに取り付けてフェンスを形成しているが、下から取り付けることも可能である。その際には、取付具２も上下逆にして、取付部６が下を向くように取り付ける。また、本実施例における取付具２は、板状部材１０を壁面等に縦に向けて取り付けることも可能である。
【産業上の利用可能性】
【００２８】
本発明のフェンス用板状部材の取付具は、フェンスに使用することが最も好ましいが、外壁面に板状部材を取り付けるサイディング等にも利用することができる。
【図面の簡単な説明】
【００２９】
【図１】本発明の一実施例に係るフェンス用板状部材の取付具を示す斜視図である。
【図２】図１に示す取付具の右側面図である。
【図３】図１に示す取付具の正面図である。
【図４】図１に示す取付具の背面図である。
【図５】図１に示す取付具の平面図である。
【図６】図１に示す取付具の底面図である。
【図７】図１に示す取付具を用いて施工したフェンスの正面図である。
【図８】本発明の取付具を用いて上段の板状部材を仮止めする時の状態を示す縦断面図である。
【図９】本発明の取付具を用いて上段の板状部材を固定する時の状態を示す縦断面図である。
【図１０】本発明の取付具を用いて中段の板状部材を仮止めする時の状態を示す縦断面図である。
【図１１】本発明の取付具を用いて上下３段の板状部材を固定した時の状態を示す図７中Ａ−Ａ線断面図である。
【符号の説明】
【００３０】
２      取付具
４      本体部
４ａ    押え部
４ｂ、４ｃ  係合部
６，８  取付部
６ａ    取付面
６ｂ、８ｂ  貫通孔
８ａ    段部
１０    板状部材
１０ａ  前面
１０ｂ  上端面
１０ｃ  下端面
１２    支持部材
１４，１６  リブ
１７，１８  ネジ
【図１】
2008280724.tif 000003
【図２】
2008280724.tif 000004
【図３】
2008280724.tif 000005
【図４】
2008280724.tif 000006
【図５】
2008280724.tif 000007
【図６】
2008280724.tif 000008
【図７】
2008280724.tif 000009
【図８】
2008280724.tif 000010
【図９】
2008280724.tif 000011
【図１０】
2008280724.tif 000012
【図１１】
2008280724.tif 000013
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
フェンス用板状部材を支持部材に取り付ける取付具であって、
前記板状部材をその長手方向に摺動可能な状態で抱持する本体部と、
該本体部の相反する端部からそれぞれ突出し、前記支持部材に固定される一対の取付部と、を備え、
少なくとも一方の前記取付部の前記支持部材に当接する取付面を、先端に向かって前記支持部材から離れるように傾斜する斜面で形成し、該取付面を前記支持部材に当接させて前記一方の取付部を固定することにより、他方の取付部が前記支持部材から前記板状部材の厚み以内の距離だけ離れた状態で仮止め可能となることを特徴とするフェンス用板状部材の取付具。
【請求項２】
他方の前記取付部には、隣接する他の取付具における前記一方の取付部が入る段部が設けられ、該段部内に前記一方の取付部を入れて前記他方の取付部に重ね合わせて前記支持部材に固定することを特徴とする請求項１記載のフェンス用板状部材の取付具。
【請求項３】
前記板状部材の前面に面する前記本体部の内面には、前記板状部材の前面に、その長手方向に沿って当接するリブが設けられていることを特徴とする請求項１又は２記載のフェンス用板状部材の取付具。
【請求項４】
前記本体部は、前記板状部材の前面と上下端面を囲い、前記一方の取付部を前記支持部材に固定すると前記板状部材が掛止可能となることを特徴とする請求項１記載のフェンス用板状部材の取付具。
【手続補正２】
【補正対象書類名】明細書
【補正対象項目名】０００６
【補正方法】変更
【補正の内容】
【０００６】
本発明のフェンス用板状部材の取付具は、フェンス用板状部材を支持部材に取り付ける取付具であって、前記板状部材をその長手方向に摺動可能な状態で抱持する本体部と、該本体部の相反する端部からそれぞれ突出し、前記支持部材に固定される一対の取付部と、を備え、少なくとも一方の前記取付部の前記支持部材に当接する取付面を、先端に向かって前記支持部材から離れるように傾斜する斜面で形成し、該取付面を前記支持部材に当接させて前記一方の取付部を固定することにより、他方の取付部が前記支持部材から前記板状部材の厚み以内の距離だけ離れた状態で仮止め可能となるものである。